【手続補正書】
【提出日】平成16年1月15日(2004.1.15)
【手続補正１】
【補正対象書類名】特許請求の範囲
【補正対象項目名】全文
【補正方法】変更
【補正の内容】
【特許請求の範囲】
【請求項１】
酸素を用いて高圧可動式ガスボンベを充填することを含む、高圧流体を移送する高速接続カップリングであって、
ａ．長手軸、入口および出口を有する、ハウジングと、
ｂ．該高速接続カップリングの連結される位置と連結されない位置との間を長手軸に沿って移動するように、取り囲み、且つスライドできるように該ハウジングに対して取り付けられる、外部スライディングスリーブと、
ｃ．該ハウジングから延長する複数のロッキング部材であって、該ロッキング部材は、放射状に広がることが可能で、該ロッキング部材は、対応するように形成された接続ニップルに接続するための係合プロフィールを有し、該スリーブは、該ロッキング部材の上をスライドし、該スリーブは、該スリーブが該ロッキング部材にニップルと連結させる該ロッキング部材を押すように大きさが決められる、複数のロッキング部材と、
ｄ．該接続ニップルと係合するために、該ハウジングに対する長手軸に沿ってスライドするピストンであって、該接続ニップルを該高速接続カップリングにカップリングする処理中に、該ピストンは該長手軸に沿って接続ニップルをガイドし、開放位置で該ロッキング部材を保持するために、該高速接続カップリングの連結されない位置で該ロッキング部材を係合するように、該ピストンはバイアスされ、該ピストンは、該高速接続カップリングに該接続ニップルをカップリングする処理中に、移動して、該ロッキング部材を有する該ピストンの該係合を開放するために動くようにスライド可能であるように取り付けられていて、これにより、該スリーブが、該ロッキング部材を該ニップルに係合させることを可能にする、ピストンと、
ｅ．該ハウジングに対する該長手軸に沿ってスライドする第１のピンであって、該第１のピンは、シール方向に対してバイアスされ、これにより、該入口と該出口との間の該カップリングを通る流体の流れを選択的にブロックする逆止弁を形成する、第１のピンと、
ｆ．ハウジングに対する該長手軸に沿ってスライドする第２のピンであって、該第２のピンは、該接続ニップルを該高速接続カップリングにカップリングする処理中に、該第２のピンの端部は、該接続ニップルの該孔に受け入れられるように位置付けられ、該第２のピンは、該接続ニップルの該孔の内側にシールを形成し、該接続ニップルの該移動が該第２のピンを該ハウジングに対してスライドするように該第２のピンは、該接続ニップルの一部を係合し、該接続ニップルを該高速接続カップリングに連結する処理中に、該接続ニップルの動きが、該ハウジングに対する該長手軸に沿った該第２のピンの動きを生じさせる
ように、該第２のピンは、該第１のピンに対して遠くに位置付けられる、第２のピンと
を含む、高速接続カップリング。
【請求項２】
酸素を用いて高圧可動式ガスボンベを充填することを含む、高圧流体を移送する高速接続カップリングであって、前記接続ニップルが前記高速接続カップリングから取り外される際に、比較的小さな体積の高圧流体が漏れる、請求項１に記載の高速連続カップリング。
【請求項３】
酸素を用いて高圧可動式ガスボンベを充填することを含む、高圧流体を移送する高速接続カップリングであって、前記接続ニップルが該高速接続カップリングから取り外される際に漏れる高圧流体の該体積が、噴出を引き起こすには不十分である、請求項２に記載の高速接続カップリング。
【請求項４】
酸素を用いて高圧可動式ガスボンベを充填することを含む、高圧流体を移送する高速接続カップリングであって、前記接続ニップルが高速接続カップリングから取り外される際に高圧流体の体積が漏れ、漏れる高圧流体の該体積が、高圧流体の一定体積および流体の別の体積を含み、該接続ニップルが該高速接続カップリングから取り外される際に漏れる高圧流体の該一定体積が、約２７．５ｍｍ３である、請求項１に記載の高速接続カップリング。
【請求項５】
酸素を用いて高圧可動式ガスボンベを充填することを含む、高圧流体を移送する高速接続カップリングであって、前記接続カップリングが該高速接続カップリングから取り外される際に高圧流体の体積は漏れ、漏れる高圧流体の該体積は、高圧流体の一定体積および別の流体の体積を含み、該接続ニップルが該高速接続カップリングから取り外される際に漏れる高圧流体の該一定体積は、約０．００１５立方インチである、請求項１に記載の高速接続カップリング。
【請求項６】
酸素を用いて高圧可動式ガスボンベを充填することを含む、高圧流体を移送する高速接続カップリングであって、前記接続ニップルが該高速接続カップリングから取り外される際に高圧流体の体積が漏れ、漏れる高圧流体の該体積が、高圧流体の一定体積および流体の別の体積を含み、該接続ニップルが前記第１のピンの前記開口部の体積および前記第２のピンの該開口部の該体積から主に形成される場合、漏れる高圧流体の該一定体積は漏れる、請求項１に記載の高速連続カップリング。
【請求項７】
酸素を用いて高圧可動式ガスボンベを充填することを含む、請求項１に記載の高圧流体を移送する高速接続カップリングであって、前記第２のピンの前記一端が、前記ロッキング部材が該ハウジングから延長する点を超えて前記ハウジングから外向きに延長しない、高速接続カップリング。
【請求項８】
酸素を用いて高圧可動式ガスボンベを充填することを含む、高圧流体を移送する高速接続カップリングであって、前記ロッキング部材は、開放位置にバイアスされている、請求項１に記載の高速接続カップリング。
【請求項９】
酸素を用いて高圧可動式ガスボンベを充填することを含む、高圧流体を移送する高速接続カップリングであって、
前記第１のピンがバイアスされている前記シールは、該高速接続カップリングの任意の圧縮上流が停止した後、高圧をより低いレベルまでゆっくりと漏れることを可能にする金属シールを含む、請求項１に記載の高速接続カップリング。
【請求項１０】
酸素を用いて高圧可動式ガスボンベを充填することを含む、高圧流体を移送する高速接続カップリングであって、
前記第１のピンがバイアスされている前記シールは、該高速接続カップリングの任意の圧縮上流が停止した後、高圧を１平方インチあたり約１００ポンドまでゆっくりと漏れることを可能にする金属シールを含む、請求項１に記載の高速接続カップリング。
【請求項１１】
酸素を用いて高圧可動式ガスボンベを充填することを含む、高圧流体を移送する高速接続カップリングであって、
ａ．ハウジングと、
ｂ．スライド可能であるようにハウジングに対して取り付けられた外部スライドスリーブと、
ｃ．該ハウジングに付けられ、放射状に移動可能な複数のロッキング要素であって、該ロッキング要素は、対応して形成された接続ニップルに接続するための係合プロフィールを有する、複数のロッキング要素と
を有し、
該接続ニップルが該高速接続カップリングから取り外される場合、高圧流体の比較的小さな体積は漏れる、
高速接続カップリング。
【請求項１２】
酸素を用いて高圧可動式ガスボンベを充填することを含む、高圧流体を移送する高速接続カップリングであって、前記接続ニップルが前記高速接続カップリングから取り外される場合に漏れる高圧流体の前記体積は、該可動式ガスボンベを噴出性になるようにさせるには不十分である、請求項１１に記載の高速接続カップリング。
【請求項１３】
酸素を用いる高圧可動式ガスボンベを充填することを含む、高圧流体を移送する高速接続カップリングであって、前記接続ニップルが前記高速接続カップリングから取り外される場合、高圧流体の体積は漏れ、漏れる高圧流体の前記体積は、高圧流体の一定体積および流体の別の体積を含み、該接続ニップルが該接続ニップルから取り外される場合に漏れる高圧流体の該一定体積は、約２７．５ｍｍ３である、請求項１１に記載の高速接続カップリング。
【請求項１４】
酸素を用いる高圧可動式ガスボンベを充填することを含む、請求項１１に記載の高圧流体を移送する高速接続カップリングであって、前記接続ニップルが前記高速接続カップリングから取り外される際に高圧流体の体積は漏れ、漏れる高圧流体の該体積は、高圧流体の一定体積および流体の別の体積を含み、該接続ニップルが該接続ニップルから取り外される際に漏れる高圧流体の該一定体積は、約０．００１５立方インチである、高速接続カップリング。
【請求項１５】
第１の圧力で流体を受け取るように設定される（ｒａｔｅｄ  ｆｏｒ）圧力容器と第２の圧力で流体を受け取るように設定される容器との間の区別をする、より低い圧力からより高い圧力へ充填される、システムであって、
ａ．第１の圧力で流体を受け取るように設定され、第１のニップル係合プロフィールを有する第１の接続ニップルを有するように設定される、第１の圧力容器と、
ｂ．第２のより低い圧力で流体を受け取るように設定され、第２のニップル係合プロフィールを有する第２の接続ニップルを有するように設定される、第２の圧力容器と、
ｃ．第１の高速接続カップリングであって、
ｉ．ハウジングと、
ｉｉ．スライド可能であるように該ハウジングに対して取り付けられる外部スライディングスリーブと、
ｉｉｉ．該ハウジングに取り付けられ、放射状に移動可能な複数のロッキング要素と
を含み、
該ロッキング要素は、該第２のニップル係合プロフィールではなく、該第１のニップル係合プロフィールに接続するための係合プロフィールを有し、従って該第２の圧力容器を該第１の高速接続カップリングに接続されることから防ぐ、システム。
【請求項１６】
第１の圧力で流体を受け取るように設定される圧力容器と第２の、より低い圧力で流体を受け取るように設定される容器との間の区別をし、第２の高速接続カップリングをさらに含むシステムであって、
ｉ．ハウジングと、
ｉｉ．スライド可能であるように該ハウジングに対して取り付けられる外部スライディングスリーブと、
ｉｉｉ．該ハウジングに付けられ、放射状に移動可能な複数のロッキング要素と
を含み、
該ロッキング要素は、該第１のニップル係合プロフィールに接続し、第２のニップル係合プロフィールにも接続する係合プロフィールを有する、請求項１５に記載のシステム。
【請求項１７】
可動式酸素容器を充填するためのシステムであって、
ａ．圧縮器と、
ｂ．該圧縮器を有し、該圧縮機の下流の流体送達における高速接続カップリングであって、該高速接続カップリングは、
ｉ．長手軸、入口および出口を有する、ハウジングと、
ｉｉ．該高速接続カップリングの連結された位置と連結されていない位置との間の該長手軸に沿って移動するように、該ハウジングに対して取り囲むようにそしてスライド可能なように取り付けられる外部スライディングスリーブと、
ｉｉｉ．該ハウジングから延長する複数のロッキング部材であって、該ロッキング部材は、放射状に広がることができ、該ロッキング部材は、対応するように形成された接続ニップルに接続するための係合プロフィールを有し、該スリーブが該ロッキング部材を押して、該スリーブが連結位置にある場合に、該スリーブは、該ロッキング部材に該ニップルと連結させるように大きさが決められる、ロッキング部材と、
ｉｖ．該接続ニップルと係合するように、該ハウジングに対する長手軸に沿ってスライドするピストンであって、該ピストンは、該接続ニップルを該高速接続カップリングに連結する処理中に、該長手軸に沿って該接続ニップルをガイドし、該ピストンは、開放位置において該ロッキング部材を保持するように該高速接続カップリングの該連結されていない位置における該ロッキング部材を係合するようにバイアスされ、該接続ニップルの連結処理中に、該高速接続カップリングに移動し、該ロッキング部材を有する該ピストンの係合を自由にするように、該ピストンは、スライド可能であるように取り付けられ、従って、該スリーブが、該ロッキング部材に該ニップルと連結させることを可能にする、ピストンと、
ｖ．該ハウジングに対する該長手軸に沿ってスライドする第１のピンであって、該第１のピンはシールの方向に対してバイアスされ、従って、該入口と該出口との間の該カップリングを通る流体の流れを選択的にブロックする逆止弁を形成する、第１のピンと、
ｖｉ．該ハウジングに対する長手軸に沿ってスライドする第２のピンであって、該接続ニップルを該高速接続カップリングに連結する処理中に、該第２のピンの端部は、該接続ニップル内の孔に受け取られるように、該第２のピンは位置付けられ、該第２のピンは、該接続ニップルの該孔の内側にシールを形成し、該接続ニップルの移動が、該ハウジングに対して該第２のピンをスライドさせるように、該第２のピンは、該接続ニップルの一部分を係合し、該第２のピンは、該接続ニップルを該高速接続カップリングに連結する処理中に、該第１のピンをバイアスに対して強制する該接続ニップルの移動が、該ハウジングに対する該長手軸に沿った該第２のピンの移動を生じさせるように、該第１のピンに対してさらに位置付けられ、従って、該逆止弁を開放し、該第１のピン内の開口部を通して、そして該第２のピン内の開口部を通して、流体の流れを該入口から該接続ニップルへ流れることを可能にする、システム。